(57)【要約】      （修正有）【課題】使用形態を変更可能なバッグにおいて、バッグの収容空間を区分して利用でき、かつ収容する物品を安定して保持することができるバッグを提供する。【解決手段】使用形態を変更可能なバッグであって、物品を収容可能な収容空間３を有し、収容空間の正面側を覆う正面部と、収容空間の背面側を覆う背面部と、正面部及び背面部の各下端部から連続する底部と、同各左端部から連続する左側部７と、同各右端部から連続する右側部８と、左側部及び右側部の各上端部から延在する持ち手９と、底部の長手方向の両端部に設けられ、互いに係合可能な少なくとも一対の第１留め具１０とを備え、第１留め具同士を係合させない第１形態と、係合させた第２形態に変形でき、第２形態では、底部と、正面部及び背面部の所定領域とが、山折り状に変形し、収容空間を長手方向に並ぶ２つの収容空間Ｓに仕切る仕切壁部１１を構成する。【選択図】図６
0003226574.tif 000002
【実用新案登録請求の範囲】
【請求項１】
２通り又は３通りに使用形態を変更可能なバッグであって、
上部の開口部を介して物品を収容可能な収容空間を有し、
前記収容空間の正面側を覆う正面部と、
前記収容空間の背面側を覆う背面部と、
前記正面部及び前記背面部の各下端部から連続する底部と、
前記正面部及び前記背面部の各左端部から連続する左側部と、
前記正面部及び前記背面部の各右端部から連続する右側部と、
前記左側部及び前記右側部の各上端部、又は、前記正面部及び前記背面部の各上端部から延在する１又は複数の持ち手と、
前記底部の長手方向の両端部に設けられ、互いに係合可能な少なくとも一対の第１留め具と、を備え、
前記一対の第１留め具同士を係合させない第１形態と、前記一対の第１留め具同士を係合させた第２形態とに変形でき、
前記第２形態では、前記底部と、前記正面部及び前記背面部の所定領域とが、前記収容空間において山折り状に変形し、前記収容空間を前記長手方向に並ぶ２つの収容空間に仕切る仕切壁部を構成する
ことを特徴とするバッグ。
【請求項２】
前記底部の前記長手方向の中間部に設けられ、前記第２形態において互いに係合可能な少なくとも一対の補強留め具をさらに備える
ことを特徴とする請求項１に記載のバッグ。
【請求項３】
前記正面部及び前記背面部の上端部における前記長手方向の中間部に設けられ、互いに係合可能な少なくとも一対の第２留め具をさらに備え、
前記第２形態において前記一対の第２留め具同士を係合させた第３形態にさらに変形でき、
前記第３形態では、前記開口部が前記長手方向に並ぶ２つの開口部に仕切られる
ことを特徴とする請求項１又は２に記載のバッグ。
【考案の詳細な説明】
【技術分野】
【０００１】
本考案は、使用形態を変更可能なバッグに関する。
【背景技術】
【０００２】
従来、買い物や物品を包むための袋として、あずま袋が知られている。あずま袋は、風呂敷などの布を縫い合わせて作成され、三角形状の持ち手が備えられた簡素な形状のバッグである。
あずま袋は収容空間が１つであるため、それのみでは、複数の物品を区分けして収容することは難しく、また複数の物品を安定して持ち運ぶために好適なものではなかった。
一方、このようなバッグの使用形態を変更可能にして、その収容空間を区分して利用でき、かつ収容する物品を安定して保持可能なものとすることができれば大変有益である。
【先行技術文献】
【特許文献】
【０００３】
【特許文献１】実用新案登録第３２２１７５９号公報
【考案の概要】
【考案が解決しようとする課題】
【０００４】
ここで、バッグの収容空間を区分して利用することを可能にする技術として、特許文献１に記載の買物バッグを挙げることができる。
この買物バッグは、底部の長手方向に延びる中央線に沿って並べられた複数の第１の留め具と、複数の第１の留め具のいずれとも係合可能に構成された第２の留め具であって、底部の長手方向の両端付近に設けられた２つの第２の留め具とを備えており、第２の留め具を第１の留め具に選択的に係合させることにより、買物バッグの底面形状を変更できるようになっている。
【０００５】
また、収容空間の対向面に上下方向に並ぶ複数の留め具を備えているため、細長いものを収容する場合、これらの留め具同士を係合させることにより、係合部分をストッパとして機能させ、細長い収容物の転倒を防止できるされている。
しかしながら、この買物バッグは、留め具によって収容空間を簡易的に仕切るものであるため、各収容空間に収容する物品を安定して保持することが難しいという問題があった。
【０００６】
本考案は、上記事情に鑑みてなされたものであり、２通り又は３通りに使用形態を変更可能なバッグにおいて、バッグの収容空間を区分して利用でき、かつ収容する物品を安定して保持することができるバッグの提供を目的とする。
【課題を解決するための手段】
【０００７】
上記目的を達成するため、本考案は、２通り又は３通りに使用形態を変更可能なバッグであって、上部の開口部を介して物品を収容可能な収容空間を有し、前記収容空間の正面側を覆う正面部と、前記収容空間の背面側を覆う背面部と、前記正面部及び前記背面部の各下端部から連続する底部と、前記正面部及び前記背面部の各左端部から連続する左側部と、前記正面部及び前記背面部の各右端部から連続する右側部と、前記左側部及び前記右側部の各上端部、又は、前記正面部及び前記背面部の各上端部から延在する１又は複数の持ち手と、前記底部の長手方向の両端部に設けられ、互いに係合可能な少なくとも一対の第１留め具とを備え、前記一対の第１留め具同士を係合させない第１形態と、前記一対の第１留め具同士を係合させた第２形態とに変形でき、前記第２形態では、前記底部と、前記正面部及び前記背面部の所定領域とが、前記収容空間において山折り状に変形し、前記収容空間を前記長手方向に並ぶ２つの収容空間に仕切る仕切壁部を構成するものとしてある。
【０００８】
また、本考案を、前記底部の前記長手方向の中間部に設けられ、前記第２形態において互いに係合可能な少なくとも一対の補強留め具をさらに備える構成とすることが好ましい。
【０００９】
また、本考案を、前記正面部及び前記背面部の上端部における前記長手方向の中間部に設けられ、互いに係合可能な少なくとも一対の第２留め具をさらに備え、前記第２形態において前記一対の第２留め具同士を係合させた第３形態にさらに変形でき、前記第３形態では、前記開口部が前記長手方向に並ぶ２つの開口部に仕切られる構成とすることも好ましい。
【考案の効果】
【００１０】
本考案によれば、２通り又は３通りに使用形態を変更可能なバッグにおいて、バッグの収容空間を区分して利用でき、かつ収容する物品を安定して保持することができるバッグの提供が可能となる。
【図面の簡単な説明】
【００１１】
【図１】本考案の実施形態に係るバッグの第１形態を示す正面図である。
【図２】本考案の実施形態に係るバッグの第１形態を示す側面図である。
【図３】本考案の実施形態に係るバッグの第１形態を示す底面図である。
【図４】本考案の実施形態に係るバッグの第２形態を示す正面図である。
【図５】本考案の実施形態に係るバッグの第２形態を示す側面図である。
【図６】本考案の実施形態に係るバッグの第２形態を示すＡ−Ａ断面模式図である。
【図７】本考案の実施形態に係るバッグの第３形態を示す正面図である。
【図８】本考案の実施形態に係るバッグの第３形態を示す側面図である。
【図９】本考案の実施形態に係るバッグの第３形態を示す平面図である。
【考案を実施するための形態】
【００１２】
以下、本考案のバッグの実施形態について、図面を参照して詳細に説明する。ただし、本考案は、以下の実施形態の具体的な内容に限定されるものではない。
【００１３】
図１は、本考案の実施形態に係るバッグ１の第１形態を示す正面図であり、図２は、バッグ１の第１形態を示す側面図であり、図３は、バッグ１の第１形態を示す底面図である。
【００１４】
図１〜図３に示すように、バッグ１は、織物や布などの素材で形成され、用途に応じて形態（第１形態、第２形態及び第３形態）を任意に変更できるように構成されている。
【００１５】
第１形態を実現するバッグ１の基本的な構成には、上部に開口部２を有し、開口部２を介して物品を収容可能な収容空間３と、収容空間３の正面側を覆う正面部４と、収容空間３の背面側を覆う背面部５と、正面部４及び背面部５の各下端部から連続する底部６と、正面部４及び背面部５の各左端部から連続する左側部７と、正面部４及び背面部５の各右端部から連続する右側部８と、左側部７及び右側部８の各上端部（又は、正面部４及び背面部５の各上端部）から延在する持ち手９とが含まれる。
【００１６】
図１において、正面部４及び背面部５は、上部にＶ字状の切欠き部４ａ、５ａを有するが、切欠き部４ａ、５ａの有無は任意に変更できる。また、本実施形態の左側部７及び右側部８は、マチ７ａ、８ａを有するが、マチ７ａ、８ａの有無は任意に変更できる。また、持ち手９は、左側部７及び右側部８の上端部に設けられる一対のリング９ａと、一対のリング９ａ間に架け渡される１つの持ち手本体９ｂとを備えて構成されるが、持ち手９の構造や数はこれに限定されない。さらに、バッグ１の材料としては、織物や布などに限定されず、皮革や可撓性を有する樹脂などその他の素材を用いることもできる。
【００１７】
図４は、本考案の実施形態に係るバッグ１の第２形態を示す正面図（第１形態の側面側）であり、図５は、バッグ１の第２形態を示す側面図（第１形態の正面又は背面側）であり、図６は、バッグ１の第２形態を示すＡ−Ａ断面模式図である。
【００１８】
図１〜図６に示すように、バッグ１は、第２形態を実現するための構成として、少なくとも一対の第１留め具１０をさらに備える。
一対の第１留め具１０は、互いに係合可能なホック（雄型ホックと雌型ホックの組み合わせ）などを用いて構成され、底部６の左右方向（長手方向）の両端部下面に設けられる。
一対の第１留め具１０は、図１〜図３に示す第１形態では互いに係合しない状態とされ、図４〜図６に示す第２形態では互いに係合する状態とされる。
【００１９】
図６に示すように、一対の第１留め具１０を互いに係合させた第２形態では、収容空間３の内部において、底部６と、正面部４及び背面部５の所定領域（図１の仮想線から底部側の領域）とを山折り状に変形することで、これらを収容空間３の内部を左右方向に並ぶ２つの収容空間Ｓに仕切る仕切壁部１１として構成することができる。
【００２０】
すなわち、このような第２形態のバッグ１によれば、収容空間３の内部を左右方向に並ぶ２つの収容空間Ｓに仕切る仕切壁部１１を備えるため、仕切られた各収容空間Ｓにそれぞれ収容物を収容できるだけでなく、仕切壁部１１によって収容物同士の接触を回避しつつ、各収容物を安定して保持することができる。
【００２１】
また、本実施形態のバッグ１は、底部６の左右方向の中間部下面に設けられ、第２形態において互いに係合可能な少なくとも一対の補強留め具１２（例えば、ホック）をさらに備えてもよい。
このような一対の補強留め具１２を備えることにより、仕切壁部１１の形状を維持し易くなるため、仕切壁部１１による収容物の保持力の低下を防止することが可能となる。
【００２２】
図７は、本考案の実施形態に係るバッグ１の第３形態を示す正面図（第１形態の側面側）であり、図８は、バッグ１の第３形態を示す側面図（第１形態の正面又は背面側）であり、図９は、バッグ１の第３形態を示す平面図である。
【００２３】
図１〜図９に示すように、バッグ１は、第３形態を実現するための構成として、少なくとも一対の第２留め具１３を備える。一対の第２留め具１３は、互いに係合可能なホックなどを用いて構成され、正面部４及び背面部５の上端部における左右方向の中間部内面に設けられる。一対の第２留め具１３は、図１〜図３に示す第１形態や図４〜図６に示す第２形態では互いに係合しない状態とされ、図７〜図９に示す第３形態では互いに係合する状態とされる。
【００２４】
図９に示すように、一対の第２留め具１３を互いに係合させた第３形態では、開口部２が左右方向に並ぶ２つの開口部Ｋに仕切られる。また、このとき、仕切壁部１１の一部が、２つの収容空間Ｓの間で折り畳まれて、各収容空間Ｓに収容された収容物をより安定的に保持することが可能となる。
【００２５】
すなわち、このような第３形態のバッグ１によれば、仕切壁部１１によって収容空間３の内部が左右方向に並ぶ２つの収容空間Ｓに仕切られるだけでなく、一対の第２留め具１３によって開口部２が左右方向に並ぶ２つの開口部Ｋに仕切られ、さらに仕切壁部１１の一部が各収容空間Ｓの間で折り畳まれる。
【００２６】
このため、ワインボトル、ペットボトル、靴、野菜等の細長い収容物を収容する場合などに、２つの開口部Ｋを介して２つの収容空間Ｓに別々に収容できるだけでなく、仕切壁部１１及び第２留め具１３によって収容物同士の接触を回避しつつ、各収容物をより安定して保持することが可能となる。
【００２７】
なお、第１留め具１０、補強留め具１２及び第２留め具１３は、ホックに限定されるものではなく、面ファスナ（雄型面ファスナと雌型面ファスナの組み合わせ）、釦（釦と釦穴の組み合わせ）などを用いて構成してもよい。
【００２８】
このように、本実施形態のバッグによれば、使用形態を変更して、収容空間の内部を左右方向に並ぶ２つの収容空間に仕切る仕切壁部を備える構成にすることができる。このため、仕切られた各収容空間にそれぞれ収容物を収容できるだけでなく、仕切壁部によって収容物同士の接触を回避しつつ、各収容物を安定して保持することが可能である。
【００２９】
また、本実施形態のバッグは、底部の左右方向の中間部に互いに係合可能な少なくとも一対の補強留め具をさらに備えることができる。このため、仕切壁部の形状を維持し易くなるため、仕切壁部による収容物の保持力の低下を防止することが可能である。
【００３０】
さらに、本実施形態のバッグは、正面部及び背面部の上端部における左右方向の中間部内面に一対の第２留め具をさらに備えることができ、これによって開口部を左右方向に並ぶ２つの開口部に仕切り、また仕切壁部の一部を２つの収容空間の間で折り畳むことができる。このため、仕切壁部及び第２留め具によって収容物同士の接触を回避しつつ、各収容物をより安定して保持することが可能である。
【００３１】
以上、本考案に係るバッグの好ましい実施形態について説明したが、本考案に係るバッグは上記実施形態のみに限定されるものではなく、本考案の範囲で種々の変更実施が可能であることは言うまでもない。
例えば、上記の第２留め具を複数対で備える構成としたり、あるいは補強留め具を省略するなど適宜変更することが可能である。
【産業上の利用可能性】
【００３２】
本考案は、２通り又は３通りに使用形態を変更可能なバッグにおいて、物品を安定して保持可能にする場合などに好適に利用することが可能である。
【符号の説明】
【００３３】
１  バッグ
２，Ｋ  開口部
３，Ｓ  収容空間
４  正面部
５  背面部
６  底部
７  左側部
８  右側部
９  持ち手
１０  第１留め具
１１  仕切壁部
１２  補強留め具
１３  第２留め具
【図１】
0003226574.tif 000003
【図２】
0003226574.tif 000004
【図３】
0003226574.tif 000005
【図４】
0003226574.tif 000006
【図５】
0003226574.tif 000007
【図６】
0003226574.tif 000008
【図７】
0003226574.tif 000009
【図８】
0003226574.tif 000010
【図９】
0003226574.tif 000011